(57)【要約】【課題】リード線付部材の複数の仕様に対応して当該リード線付部材のリード線を固定できる回路基板を提供する。【解決手段】本発明に係る電源基板１６０は、任意の長さを有するリード線１７２ａ、１７２ｂが取り付けられたファン１７０に当該リード線１７２ａ、１７２ｂを介して接続される電源基板であって、リード線１７２ａ、１７２ｂが接続されるコネクタ１６１と、電源基板１６０の周縁部に形成された複数の切り欠き部１６２ａ、１６２ｂとを備え、リード線１７２ａ、１７２ｂは、複数の切り欠き部１６２ａ、１６２ｂの少なくとも１つに選択的に引っ掛けられている。【選択図】図３
2015177117.tif 000002
【特許請求の範囲】
【請求項１】
任意の長さを有するリード線が取り付けられたリード線付部材に当該リード線を介して接続される回路基板であって、
前記リード線が接続される接続部と、
前記回路基板の周縁部に形成された複数の切り欠き部とを備え、
前記リード線は、前記複数の切り欠き部の少なくとも１つに選択的に引っ掛けられている
回路基板。
【請求項２】
前記回路基板は、さらに、前記回路基板の周縁から切り欠かれた、前記リード線を前記複数の切り欠き部へ通すための通路部を備え、
前記複数の切り欠き部及び前記通路部は、前記回路基板の平面視において、空間的に繋がっている
請求項１に記載の回路基板。
【請求項３】
前記複数の切り欠き部は、前記通路部の複数の位置に形成され、各切り欠き部の切り欠き方向は、前記通路部の切り欠き方向と異なっている
請求項２に記載の回路基板。
【請求項４】
前記複数の切り欠き部のうち第１の切り欠き部及び第２の切り欠き部と、前記通路部とは、平面視において、前記通路部を縦線とする略Ｆ字形状を成す
請求項２又は３に記載の回路基板。
【請求項５】
前記複数の切り欠き部は、前記通路部の前記回路基板の周縁側と反対側の端部に形成され、当該複数の切り欠き部の切り欠き方向は、互いに異なる
請求項２に記載の回路基板。
【請求項６】
前記複数の切り欠き部のうち第１の切り欠き部及び第２の切り欠き部と、前記通路部とは、平面視において、前記通路部を縦線とする略Ｔ字形状を成す
請求項２又は５に記載の回路基板。
【請求項７】
前記複数の切り欠き部と前記通路部とは、平面視において、渦巻き形状を成す
請求項２に記載の回路基板。
【請求項８】
さらに、前記複数の切り欠き部の少なくとも１つと前記通路部との間に配置され、平面視において、当該少なくとも１つの切り欠き部の切り欠き方向と交差する方向に突出する突出部を備える
請求項２〜７のいずれか１項に記載の回路基板。
【請求項９】
前記通路部の前記回路基板の周縁側の端部は、平面視において、前記周縁に近づくほど開口が大きくなるテーパー形状を成す
請求項２〜８のいずれか１項に記載の回路基板。
【請求項１０】
前記複数の切り欠き部は、前記回路基板の周縁の互いに異なる位置に形成されている
請求項１に記載の回路基板。
【請求項１１】
請求項１〜１０のいずれか１項に記載の回路基板と、
前記リード線付部材とを備える
電子機器。
【発明の詳細な説明】
【技術分野】
【０００１】
本発明は、任意の長さを有するリード線が取り付けられたリード線付部材に当該リード線を介して接続される回路基板、及び、当該回路基板を備える電子機器に関する。
【背景技術】
【０００２】
電子機器の内部で用いられるリード線は、当該リード線の周辺に配置される周辺回路等によって、例えば、安全規格やノイズ等の観点に基づき、周辺回路と所定の距離以上離間して配置される必要がある。つまり、リード線は、周辺回路と所定の距離よりも近づかないように固定される必要がある。
【０００３】
このようなリード線を固定する構成として、例えば、基板に１箇所以上の切り欠きを設け、当該切り欠きにリード線を挿し通すことにより、リード線を固定する構成が知られている（例えば、特許文献１参照）。
【先行技術文献】
【特許文献】
【０００４】
【特許文献１】特開２００５−７２１１７号公報
【発明の概要】
【発明が解決しようとする課題】
【０００５】
しかしながら、このような構成では、例えば、リード線が長くなった場合やリード線の接続位置が変更される等の仕様変更があった場合に、当該リード線の浮き上がり等が発生し、当該リード線の固定が困難になる虞がある。また、リード線が本体部材に予め取り付けられているようなリード線付部材では、リード線の長さ、及び、リード線と本体部材との接続位置（以下、リード線の出所）は、当該リード線付部材の仕様毎に異なる。よって、リード線付部材の仕様変更があった場合に、上記と同様に、リード線の固定が困難になる虞がある。
【０００６】
本発明は、上述した課題を解決しようとするものであり、その目的は、リード線付部材の複数の仕様に対応して当該リード線付部材のリード線を固定できる回路基板及び電子機器を提供することである。
【課題を解決するための手段】
【０００７】
上記目的を達成するために、本発明の一態様に係る回路基板は、任意の長さを有するリード線が取り付けられたリード線付部材に当該リード線を介して接続される回路基板であって、前記リード線が接続される接続部と、前記回路基板の周縁部に形成された複数の切り欠き部とを備え、前記リード線は、前記複数の切り欠き部の少なくとも１つに選択的に引っ掛けられている。
【０００８】
このように、本態様によれば、リード線付部材のリード線は複数の切り欠き部の少なくとも１つに選択的に引っ掛けられている。よって、回路基板が接続されるリード線付部材が一の仕様の場合には、リード線を一の切り欠き部に引っ掛けることにより固定でき、当該リード線付部材が他の一の仕様の場合には、リード線を他の一の切り欠き部に引っ掛けることにより固定できる。つまり、本態様によれば、リード線付部材の複数の仕様に対応して当該リード線付部材のリード線を固定することができる。
【０００９】
例えば、前記回路基板は、さらに、前記回路基板の周縁から切り欠かれた、前記リード線を前記複数の切り欠き部へ通すための通路部を備え、前記複数の切り欠き部及び前記通路部は、前記回路基板の平面視において、空間的に繋がっていてもよい。
【００１０】
このように、本態様によれば、リード線を前記複数の切り欠き部へ通すための通路部を設けている。ここで、通路部が設けられていない構成では、リード線を切り欠き部へ引っ掛けた後に当該切り欠き部からリード線が外れた場合に、回路基板そのものからリード線が外れる。このような場合には、リード線が当該リード線の周辺回路と所定の距離よりも近づきやすくなる虞がある。これに対し、本態様によれば、このような場合であっても、リード線が通路部に留まることにより回路基板からは外れにくくなる。よって、リード線が切り欠き部から外れた場合であっても、リード線と周辺回路との距離を所定の距離以上確保することが可能になる。
【００１１】
また、例えば、前記複数の切り欠き部は、前記通路部の複数の位置に形成され、各切り欠き部の切り欠き方向は、前記通路部の切り欠き方向と異なっていてもよい。
【００１２】
これにより、平面視において、複数の切り欠き部及び通路部が配置される領域を、通路部が形成された回路基板周縁に沿った方向より、当該方向に直交する方向に長くなるような形状にすることができる。よって、当該領域を、回路基板に実装されている回路のレイアウトに応じて配置することにより、回路基板全体の省スペース化を図ることが可能になる。
【００１３】
また、例えば、前記複数の切り欠き部のうち第１の切り欠き部及び第２の切り欠き部と、前記通路部とは、平面視において、前記通路部を縦線とする略Ｆ字形状を成してもよい。
【００１４】
また、例えば、前記複数の切り欠き部は、前記通路部の前記回路基板の周縁側と反対側の端部に形成され、当該複数の切り欠き部の切り欠き方向は、互いに異なってもよい。
【００１５】
これにより、平面視において、複数の切り欠き部及び通路部が配置される領域を、通路部の回路基板周縁側の端部において小さく、通路部の反対側の端部において大きくなるような形状にすることができる。よって、当該領域を、回路基板に実装されている回路のレイアウトに応じて配置することにより、回路基板全体の省スペース化を図ることが可能になる。
【００１６】
また、例えば、前記複数の切り欠き部のうち第１の切り欠き部及び第２の切り欠き部と、前記通路部とは、平面視において、前記通路部を縦線とする略Ｔ字形状を成してもよい。
【００１７】
また、例えば、前記複数の切り欠き部と前記通路部とは、平面視において、渦巻き形状を成してもよい。
【００１８】
これにより、平面視において、複数の切り欠き部及び通路部が配置される領域を、通路部が形成された回路基板周縁に沿った方向と、当該方向に直交する方向とが同等の長さとなるような形状にすることができる。よって、当該領域を、回路基板に実装されている回路のレイアウトに応じて配置することにより、回路基板全体の省スペース化を図ることが可能になる。
【００１９】
また、例えば、さらに、前記複数の切り欠き部の少なくとも１つと前記通路部との間に配置され、平面視において、当該少なくとも１つの切り欠き部の切り欠き方向と交差する方向に突出する突出部を備えてもよい。
【００２０】
このように、本態様によれば、切り欠き部の切り欠き方向と交差する方向に突出する突出部を備える。よって、切り欠き部から通路部へのリード線の戻りを困難にする。つまり、本態様によれば、リード線を切り欠き部から外れにくくできるので、リード線をより確実に固定できる。
【００２１】
また、例えば、前記通路部の前記回路基板の周縁側の端部は、平面視において、前記周縁に近づくほど開口が大きくなるテーパー形状を成してもよい。
【００２２】
これにより、リード線の通路部への挿入を容易にできる。よって、リード線付部材と回路基板との組み付けが容易になる。
【００２３】
また、例えば、前記複数の切り欠き部は、前記回路基板の周縁の互いに異なる位置に形成されていてもよい。
【００２４】
これにより、平面視において、複数の切り欠き部が配置される領域を小さくすることができる。よって、回路基板の小型化を図ることができる。
【００２５】
また、本発明の他の態様に係る電子機器は、上述の回路基板と、前記リード線付部材とを備える。
【００２６】
このような電子機器は、上述のいずれかの態様に係る回路基板を備えるので、当該回路基板と同様の効果を奏することができる。
【発明の効果】
【００２７】
本発明によれば、リード線付部材の複数の仕様に対応して当該リード線付部材のリード線を固定することができる。
【図面の簡単な説明】
【００２８】
【図１】実施の形態１に係る電源基板を備えるＤＶＤレコーダの外観を示す斜視図である。
【図２】実施の形態１に係る電源基板を備えるＤＶＤレコーダの内部構造を示す上面図である。
【図３】実施の形態１に係る電源基板とファンとの接続部を拡大して示す拡大図である。
【図４Ａ】実施の形態１に係る電源基板とリード線が短いファンとの組み付けの様子を説明する図である。
【図４Ｂ】実施の形態１に係る電源基板とリード線が長いファンとの組み付けの様子を説明する図である。
【図５】実施の形態２に係る電源基板とファンとの接続部を拡大して示す拡大図である。
【図６Ａ】実施の形態２に係る電源基板とリード線が短いファンとの組み付けの様子を説明する図である。
【図６Ｂ】実施の形態２に係る電源基板とリード線が長いファンとの組み付けの様子を説明する図である。
【図７】実施の形態３に係る電源基板とファンとの接続部を拡大して示す拡大図である。
【図８Ａ】実施の形態３に係る電源基板とリード線が短いファンとの組み付けの様子を説明する図である。
【図８Ｂ】実施の形態３に係る電源基板とリード線が長いファンとの組み付けの様子を説明する図である。
【図９Ａ】他の実施の形態に係る電源基板の一例の一部を拡大して示す拡大図である。
【図９Ｂ】他の実施の形態に係る電源基板の他の一例の一部を拡大して示す拡大図である。
【発明を実施するための形態】
【００２９】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３０】
以下の実施の形態では、本発明の一態様に係る回路基板として、電源基板を例に説明する。また、このような回路基板を備える電子機器として、ＤＶＤレコーダを例に説明する。また、上記電源基板に接続されるリード線付部材として、ファンを例に説明する。
【００３１】
（実施の形態１）
以下、本発明の実施の形態１について、詳細に説明する。
【００３２】
［ＤＶＤレコーダの構成］
まず、本実施の形態に係る電源基板を備えるＤＶＤレコーダの構成について、図１及び図２を用いて説明する。図１は、実施の形態１に係る電源基板を備えるＤＶＤレコーダの外観を示す斜視図であり、図２は、実施の形態１に係る電源基板を備えるＤＶＤレコーダの内部構造を示す上面図である。なお、図２では、ＤＶＤレコーダの筐体については透視して示している。
【００３３】
図１に示すＤＶＤレコーダ１００は、後述する電源基板（回路基板）及びファン（リード線付部材）を備える電子機器である。このＤＶＤレコーダ１００は、図２に示すように、筐体１１０と、ＨＤＤ（Ｈａｒｄ  Ｄｉｓｋ  Ｄｒｉｖｅ）１２０と、ＨＤＤ１２０を駆動するローダ１３０と、ＨＤＤ１２０及びローダ１３０等を制御するマイコン等が搭載されたメイン基板１４０と、外部からＤＶＤレコーダ１００に１次側電源（例えば、商用１００Ｖ電源）を供給する電源コード１５０と、電源コード１５０を介して供給された１次側電源をＤＶＤレコーダの内部電源である２次側電源に変換する電源回路が搭載された電源基板１６０と、ファン１７０（リード線付部材）とを備える。
【００３４】
ここで、ファン１７０は、任意の長さを有するリード線１７２ａ、１７２ｂが取り付けられ、電源基板１６０に当該リード線１７２ａ、１７２ｂを介して接続されている。なお、このファン１７０の詳細については、後述する。
【００３５】
［電源基板とファンとの接続部の構成］
以下、電源基板１６０とファン１７０との接続部の構成について、図３を用いて説明する。図３は、実施の形態１に係る電源基板１６０とファン１７０との接続部を拡大して示す拡大図である。
【００３６】
同図に示すように、電源基板１６０は、リード線１７２ａ、１７２ｂが接続されるコネクタ１６１（接続部）と、電源基板１６０の周縁部に形成された複数の切り欠き部１６２ａ、１６２ｂとを備え、リード線１７２ａ、１７２ｂは、複数の切り欠き部１６２ａ、１６２ｂの少なくとも１つに選択的に引っ掛けられている。
【００３７】
具体的には、電源基板１６０は、さらに、電源基板１６０の周縁から切り欠かれた、リード線１７２ａ、１７２ｂを複数の切り欠き部１６２ａ、１６２ｂへ通すための通路部１６３を備え、複数の切り欠き部１６２ａ、１６２ｂ及び通路部１６３は、電源基板１６０の平面視において、空間的に繋がっている。
【００３８】
ここで、「平面視において空間的に繋がっている」とは、電源基板１６０を当該電源基板１６０に垂直な方向（図中のＸＹ平面に垂直な方向）から視て繋がっていることを指し、電源基板１６０を当該電源基板１６０に平行な方向（図中のＸＹ平面に平行な方向）から視て繋がっているか否かは無関係である。
【００３９】
通路部１６３は、電源基板１６０の周縁から、当該電源基板１６０の内側（図中のＹ軸マイナス方向）に向かって切り欠かれている。この通路部１６３の電源基板１６０の周縁側の端部１６３Ａは、平面視において、電源基板１６０の周縁に近づくほど開口が大きくなるテーパー形状を成している。
【００４０】
これにより、リード線１７２ａ、１７２ｂの通路部１６３への挿入を容易にできる。よって、ファン１７０と電源基板１６０との組み付けが容易になる。
【００４１】
例えば、ファン１７０と電源基板１６０との組み付けは、筐体１１０の所定の位置に電源基板１６０及びファン１７０をネジ等で固定した後に、リード線１７２ａ、１７２ｂを通路部１６３に挿入して切り欠き部１６２ａまで通し、その後、リード線１７２ａ、１７２ｂの先端をコネクタ１６１に差し込むことにより行われる。このとき、ファン１７０の本体部材１７１と電源基板１６０との間の距離を十分に確保できない場合には、リード線１７２ａ、１７２ｂを通路部１６３へ挿入することが困難になる虞がある。
【００４２】
そこで、本実施の形態では、通路部１６３の端部１６３Ａをテーパー形状にするで、リード線１７２ａ、１７２ｂの通路部１６３への挿入を容易にできる。よって、ファン１７０と電源基板１６０との組み付けが容易になる。
【００４３】
複数の切り欠き部１６２ａ、１６２ｂは、通路部１６３の複数の位置に形成され、各切り欠き部１６２ａ、１６２ｂの切り欠き方向（図中のＸ軸プラス方向）は、通路部１６３の切り欠き方向（図中のＹ軸マイナス方向）と異なっている。なお、「切り欠き方向」とは、各切り欠き部１６２ａ、１６２ｂが形成される前の状態の電源基板１６０の端縁に対して、各切り欠き部１６２ａ、１６２ｂにより形成される凹部の凹み方向を指す。
【００４４】
これにより、平面視において、複数の切り欠き部１６２ａ、１６２ｂ及び通路部１６３が配置される領域を、通路部１６３が形成された電源基板１６０周縁に沿った方向（図中のＸ軸方向）より、当該方向に直交する方向（図中のＹ軸方向）に長くなるような形状にすることができる。よって、当該領域を、電源基板１６０に実装されている回路のレイアウトに応じて配置することにより、電源基板１６０全体の省スペース化を図ることが可能になる。
【００４５】
具体的には、切り欠き部１６２ａは、通路部１６３の電源基板１６０の周縁側と反対側端部（電源基板１６０の内側の端部）に形成され、切り欠き部１６２ｂは、通路部１６３の中央部に形成されている。つまり、本実施の形態において、切り欠き部１６２ａ（第１の切り欠き部）と、切り欠き部１６２ｂ（第２の切り欠き部）と、通路部１６３とは、平面視において、通路部１６３を縦線とする略Ｆ字形状を成す。
【００４６】
なお、切り欠き部１６２ａの切り欠き方向と切り欠き部１６２ｂの切り欠き方向とは、互いに異なっていてもよい。
【００４７】
ここで、上述したように、電源基板１６０には電源回路が搭載されている。図３には、電源回路のうち、１次側電源回路を構成する１次側電源部品群１６４が図示されている。この１次側電源部品群１６４は、例えば、電源回路のトランスの１次側に接続された回路部品からなり、例えば、比較的容量の大きな電解コンデンサ等を含む。
【００４８】
電源基板１６０は、このような電源回路で生成された２次側電源を、ＤＶＤレコーダ１００内部の各構成（ＨＤＤ１２０、ローダ１３０、メイン基板及びファン１７０等）へ供給する。具体的には、電源基板１６０は、コネクタ１６１、及び、当該コネクタ１６１に接続されたリード線１７２ａ、１７２ｂを介して、ファン１７０の本体部材１７１へ電源を供給する。
【００４９】
このような１次側電源部品群１６４の周辺に配置されるリード線１７２ａ、１７２ｂは、安全規格（例えば、電気用品安全法等）の観点に基づき、例えば、太いリード線を用いたり、１次側電源部品群１６４と十分な距離だけ離間して配置したりすることが求められる。ただし、太いリード線を用いる構成はコストの増大に繋がる虞がある。
【００５０】
そこで、本実施の形態では、１次側電源部品群１６４と十分な距離だけ離間して、リード線１７２ａ、１７２ｂを配置できるような位置に、コネクタ１６１及び切り欠き１６２ａ、１６２ｂを配置している。つまり、コネクタ１６１及び切り欠き１６２ａ、１６２ｂの各々から１次側電源部品群までの距離は、上述した安全規格を満たすことができる距離よりも大きい。
【００５１】
これにより、リード線１７２ａ、１７２ｂのコストの増大を抑制しつつ、当該リード線１７２ａ、１７２ｂの安全規格を満たすことができる。
【００５２】
次に、ファン１７０について説明する。
【００５３】
ファン１７０は、任意の長さを有するリード線１７２ａ、１７２ｂが本体部材１７１に取り付けられたリード線付きの部品である。このリード線１７２ａ、１７２ｂの長さ及び出所は、ファン１７０を製造するメーカーの仕様等によって決定されるため、例えば、メーカーの仕様変更によりリード線１７２ａ、１７２ｂが長くなったり、当該リード線１７２ａ、１７２ｂの本体部材１７１からの出所が変更されたりする。
【００５４】
このような場合、仕様変更後のファンのリード線を仕様変更前のファン１７０のリード線１７２ａ、１７２ｂを引っ掛けていた切り欠き部１６２ａに引っ掛けた場合、当該リード線の浮き上がり等が発生し、当該リード線の固定が困難になる虞がある。したがって、このような場合には、当該リード線と１次側電源部品群１６４とを十分な距離だけ離間して配置することが困難になる虞がある。つまり、リード線１７２ａ、１７２ｂが安全規格を満たせない虞がある。
【００５５】
そこで、このような問題を解決するために、本実施の形態に係る電源基板１６０は、上述したような複数の切り欠き部１６２ａ、１６２ｂを備える。これにより、本実施の形態に係る電源基板１６０は、複数の仕様のファンに対応してファンのリード線を固定することができる。
【００５６】
以下、この理由について、電源基板１６０に対して、（i）リード線が短いファンが接続される場合、及び（ii）リード線が長いファンが接続される場合について、図４Ａ及び図４Ｂを用いて説明する。図４Ａは、実施の形態１に係る電源基板１６０とリード線が短いファン１７０との組み付けの様子を説明する図であり、図４Ｂは、実施の形態１に係る電源基板１６０とリード線が長いファン２７０との組み付けの様子を説明する図である。
【００５７】
＜（i）リード線が短いファンが接続される場合＞
図４Ａに示すように、リード線１７２ａ、１７２ｂが短いファン１７０に電源基板１６０が接続される場合、当該リード線１７２ａ、１７２ｂは、複数の切り欠き部１６２ａ、１６２ｂのうち切り欠き部１６２ａに選択的に引っ掛けられる。
【００５８】
これにより、リード線１７２ａ、１７２ｂが短いファン１７０に電源基板１６０が接続される場合、当該リード線１７２ａ、１７２ｂと１次側電源部品群１６４とを十分な距離だけ離間した状態で、リード線１７２ａ、１７２ｂを固定することができる。
【００５９】
＜（ii）リード線が長いファンが接続される場合＞
一方、図４Ｂに示すように、リード線２７２ａ、２７２ｂが長いファン２７０に電源基板１６０が接続される場合、当該リード線２７２ａ、２７２ｂは、複数の切り欠き部１６２ａ、１６２ｂのうち切り欠き部１６２ｂに選択的に引っ掛けられる。
【００６０】
これにより、リード線２７２ａ、２７２ｂが長いファン２７０に電源基板１６０が接続される場合にも、ファン１７０に電源基板１６０が接続される場合と同様に、当該リード線２７２ａ、２７２ｂと１次側電源部品群１６４とを十分な距離だけ離間した状態で、リード線２７２ａ、２７２ｂを固定することができる。
【００６１】
このように、本実施の形態に係る電源基板１６０を備えるＤＶＤレコーダは、当該ＤＶＤレコーダに搭載されるファンとして、リード線長が互いに異なる複数のファンの使用が可能となる。よって、ファンを製造するメーカーで仕様変更が実施された場合であっても、仕様変更前及び仕様変更後のいずれのファンも使用できる。言い換えると、仕様変更後であっても、当該メーカーの仕様変更前のファン（既存品）を流用することができるので、製造コストを抑制できる。さらに、当該メーカーの既存品の余剰在庫を流用することができるので、製造コストを抑制できる。
【００６２】
また、当該ＤＶＤレコーダは、リード線の出所が異なる複数のメーカーのファンの使用が可能となる。よって、ファン及び電源基板を備える電子機器等の安定供給が可能となる。
【００６３】
ここで、電源基板１６０は、図４Ａ及び図４Ｂに示すように、複数の切り欠き部１６２ａ、１６２ｂの各々と通路部１６３との間に配置され、平面視において、切り欠き部１６２ａ、１６２ｂの各々の切り欠き方向（図中のＸ軸プラス方向）と交差する方向（図中のＹ軸マイナス方向）に突出する突出部１６５を備えてもよい。言い換えると、電源基板１６０は、平面視において、切り欠き部１６２ａ、１６２ｂと通路部１６３とを繋ぐ連結部であって、切り欠き部１６２ａ、１６２ｂの各々の幅よりも狭い連結部を備えてもよい。
【００６４】
これにより、切り欠き部１６２ａ、１６２ｂから通路部１６３へのリード線１７２ａ、１７２ｂ、２７２ａ、２７２ｂの戻りを困難にする。つまり、本実施の形態によれば、リード線１７２ａ、１７２ｂ、２７２ａ、２７２ｂを切り欠き部１６２ａ、１６２ｂから外れにくくできるので、リード線１７２ａ、１７２ｂ、２７２ａ、２７２ｂをより確実に固定できる。
【００６５】
なお、突出部１６５は、複数の切り欠き部１６２ａ、１６２ｂの少なくとも１つと通路部１６３との間に配置されていればよく、例えば、切り欠き部１６２ａと通路部１６３との間には配置されていなくてもよい。このような場合であっても、切り欠き部１６２ａに引っ掛けられるリード線１７２ａ、１７２ｂを切り欠き部１６２ａから外れにくくできるので、リード線１７２ａ、１７２ｂを確実に固定できる。
【００６６】
［効果等］
以上説明したように、本実施に係る電源基板１６０は、リード線１７２ａ、１７２ｂが接続されるコネクタ１６１と、電源基板１６０の周縁部に形成された複数の切り欠き部１６２ａ、１６２ｂとを備え、リード線１７２ａ、１７２ｂは、複数の切り欠き部１６２ａ、１６２ｂの少なくとも１つに選択的に引っ掛けられている。
【００６７】
これにより、電源基板１６０が接続されるファンが一の仕様（リード線が短いファン１７０）の場合には、リード線１７２ａ、１７２ｂを一の切り欠き部１６２ａに引っ掛けることにより固定できる。また、当該ファン１７０が他の一の仕様（リード線が長いファン２７０）の場合には、リード線２７２ａ、２７２ｂを他の一の切り欠き部１６２ｂに引っ掛けることにより固定できる。つまり、本態様によれば、複数の仕様のファン１７０、２７０に対応して当該ファン１７０、２７０のリード線１７２ａ、１７２ｂ、２７２ａ、２７２ｂを固定することができる。
【００６８】
また、本実施の形態において、電源基板１６０は、さらに、電源基板１６０の周縁から切り欠かれた、リード線１７２ａ、１７２ｂ、２７２ａ、２７２ｂを複数の切り欠き部１６２ａ、１６２ｂへ通すための通路部１６３を備え、複数の切り欠き部１６２ａ、１６２ｂ及び通路部１６３は、電源基板１６０の平面視において、空間的に繋がっている。
【００６９】
これにより、リード線１７２ａ、１７２ｂ、２７２ａ、２７２ｂを切り欠き部１６２ａ、１６２ｂへ引っ掛けた後に当該切り欠き部１６２ａ、１６２ｂからリード線１７２ａ、１７２ｂ、２７２ａ、２７２ｂが外れた場合であっても、リード線１７２ａ、１７２ｂ、２７２ａ、２７２ｂが通路部１６３に留まることにより電源基板１６０からは外れにくくなる。よって、リード線１７２ａ、１７２ｂ、２７２ａ、２７２ｂが切り欠き部１６２ａ、１６２ｂから外れた場合であっても、リード線１７２ａ、１７２ｂ、２７２ａ、２７２ｂと１次側電源部品群１６４（周辺回路）との距離を所定の距離以上確保することが可能になる。
【００７０】
また、本実施の形態において、複数の切り欠き部１６２ａ、１６２ｂは、各切り欠き部１６２ａ、１６２ｂの切り欠き方向（図中のＸ軸プラス方向）は、通路部１６３の切り欠き方向（図中のＹ軸マイナス方向）と異なっている。
【００７１】
これにより、平面視において、複数の切り欠き部１６２ａ、１６２ｂ及び通路部１６３が配置される領域を、通路部１６３が形成された電源基板１６０周縁に沿った方向（図中のＸ軸方向）より、当該方向に直交する方向（図中のＹ軸方向）に長くなるような形状にすることができる。よって、当該領域を、電源基板１６０に実装されている回路のレイアウトに応じて配置することにより、電源基板１６０全体の省スペース化を図ることが可能になる。
【００７２】
より具体的には、本実施の形態において、複数の切り欠き部１６２ａ、１６２ｂと、通路部１６３とは、平面視において、通路部１６３を縦線とする略Ｆ字形状を成す。
【００７３】
また、本実施の形態において、通路部１６３の電源基板１６０の周縁側の端部１６３Ａは、平面視において、電源基板１６０の周縁に近づくほど開口が大きくなるテーパー形状を成している。
【００７４】
これにより、リード線１７２ａ、１７２ｂの通路部１６３への挿入を容易にできる。よって、ファン１７０と電源基板１６０との組み付けが容易になる。
【００７５】
また、本実施の形態において、電源基板１６０は、複数の切り欠き部１６２ａ、１６２ｂの各々と通路部１６３との間に配置され、平面視において、切り欠き部１６２ａ、１６２ｂの各々の切り欠き方向（図中のＸ軸プラス方向）と交差する方向（図中のＹ軸マイナス方向）に突出する突出部１６５を備えてもよい。
【００７６】
これにより、切り欠き部１６２ａ、１６２ｂから通路部１６３へのリード線１７２ａ、１７２ｂ、２７２ａ、２７２ｂの戻りを困難にする。つまり、本実施の形態によれば、リード線１７２ａ、１７２ｂ、２７２ａ、２７２ｂを切り欠き部１６２ａ、１６２ｂ、２７２ａ、２７２ｂから外れにくくできるので、リード線１７２ａ、１７２ｂ、２７２ａ、２７２ｂをより確実に固定できる。
【００７７】
（実施の形態２）
次に、本発明の実施の形態２について、実施の形態１と異なる点を中心に説明する。具体的には、本実施の形態に係る電源基板は、複数の切り欠き部と通路部とが、平面視において、渦巻き形状を成す点が、実施の形態１に係る電源基板１６０と比較して異なっている。以下、本実施の形態に係る電源基板について、図５を用いて説明する。図５は、実施の形態２に係る電源基板２６０とファン１７０との接続部を拡大して示す拡大図である。
【００７８】
同図に示すように、本実施の形態に係る電源基板２６０は、図３に示した実施の形態１に係る電源基板１６０と同様に、リード線１７２ａ、１７２ｂが接続されるコネクタ１６１と、電源基板２６０の周縁部に形成された複数の切り欠き部２６２ａ、２６２ｂと、電源基板２６０の周縁から切り欠かれた、リード線１７２ａ、１７２ｂを複数の切り欠き部２６２ａ、２６２ｂへ通すための通路部２６３とを備える。ただし、実施の形態１と異なり、これら複数の切り欠き部２６２ａ、２６２ｂと、通路部２６３とが、平面視において、渦巻き形状を成す。
【００７９】
具体的には、本実施の形態では、通路部２６３の電源基板２６０の周縁と反対側の端部において切り欠き部２６２ａが略Ｌ字形状に形成され、当該切り欠き部２６２ａの通路部２６３と反対側の端部において切り欠き部２６２ｂ（第２の切り欠き部）が略Ｌ字形状に形成されている。以下、これら通路部２６３、及び、切り欠き部２６２ａ、２６２ｂについて、具体的に説明する。
【００８０】
通路部２６３は、実施の形態１における通路部１６３と同様に、電源基板２６０の周縁から、当該電源基板２６０の内側（図中のＹ軸マイナス方向）に向かって切り欠かれている。この通路部２６３の電源基板２６０の周縁側の端部２６３Ａは、平面視において、電源基板２６０の周縁に近づくほど開口が大きくなるテーパー形状を成している。
【００８１】
これにより、実施の形態１と同様に、リード線１７２ａ、１７２ｂの通路部２６３への挿入を容易にできる。よって、ファン１７０と電源基板２６０との組み付けが容易になる。
【００８２】
切り欠き部２６２ａ及び切り欠き部２６２ｂは、いずれも略Ｌ字形状に形成されているが、切り欠き部２６２ｂにより形成されるＬ字の各線は、切り欠き部２６２ａにより形成されるＬ字の対応する線よりも短くなっている。
【００８３】
このような構成により、複数の切り欠き部２６２ａ、２６２ｂと通路部２６３とは、平面視において、渦巻き形状を成している。
【００８４】
以上のように構成された本実施の形態に係る電源基板２６０は、実施の形態１に係る電源基板１６０と同様に、ファン１７０のリード線１７２ａ、１７２ｂが複数の切り欠き部２６２ａ、２６２ｂの少なくとも１つに選択的に引っ掛けられているので、上記実施の形態１と同様の効果を奏することができる。
【００８５】
以下、この理由について、電源基板２６０に対して、（i）リード線が短いファンが接続される場合、及び（ii）リード線が長いファンが接続される場合について、図６Ａ及び図６Ｂを用いて説明する。図６Ａは、実施の形態２に係る電源基板２６０とリード線が短いファン１７０との組み付けの様子を説明する図であり、図６Ｂは、実施の形態２に係る電源基板２６０とリード線が長いファン２７０との組み付けの様子を説明する図である。
【００８６】
＜（i）リード線が短いファンが接続される場合＞
図６Ａに示すように、リード線１７２ａ、１７２ｂが短いファン１７０に電源基板２６０が接続される場合、当該リード線１７２ａ、１７２ｂは、複数の切り欠き部２６２ａ、２６２ｂのうち切り欠き部２６２ａに選択的に引っ掛けられる。
【００８７】
これにより、リード線１７２ａ、１７２ｂが短いファン１７０に電源基板２６０が接続される場合、当該リード線１７２ａ、１７２ｂと１次側電源部品群１６４とを十分な距離だけ離間した状態で、リード線１７２ａ、１７２ｂを固定することができる。
【００８８】
＜（ii）リード線が長いファンが接続される場合＞
一方、図６Ｂに示すように、リード線２７２ａ、２７２ｂが長いファン２７０に電源基板２６０が接続される場合、当該リード線２７２ａ、２７２ｂは、複数の切り欠き部２６２ａ、２６２ｂのうち切り欠き部２６２ｂに選択的に引っ掛けられる。
【００８９】
これにより、リード線２７２ａ、２７２ｂが長いファン２７０に電源基板２６０が接続される場合にも、ファン１７０に電源基板２６０が接続される場合と同様に、当該リード線２７２ａ、２７２ｂと１次側電源部品群１６４とを十分な距離だけ離間した状態で、リード線２７２ａ、２７２ｂを固定することができる。
【００９０】
このように、本実施の形態に係る電源基板２６０は、実施の形態１に係る電源基板１６０と同様に、複数の仕様のファン１７０、２７０に対応して当該ファン１７０、２７０のリード線１７２ａ、１７２ｂ、２７２ａ、２７２ｂを固定することができる。
【００９１】
［効果等］
以上説明したように、本実施の形態に係る電源基板２６０によれば、実施の形態１に係る電源基板１６０と同様に、ファン１７０のリード線１７２ａ、１７２ｂは複数の切り欠き部２６２ａ、２６２ｂの少なくとも１つに選択的に引っ掛けられている。よって、本実施の形態に係る電源基板２６０は、実施の形態１に係る電源基板１６０と同様に、複数の仕様のファン１７０、２７０に対応して当該ファン１７０、２７０のリード線１７２ａ、１７２ｂ、２７２ａ、２７２ｂを固定することができる。
【００９２】
また、本実施の形態によれば、上記実施の形態１と同様に、リード線１７２ａ、１７２ｂ、２７２ａ、２７２ｂを複数の切り欠き部２６２ａ、２６２ｂへ通すための通路部２６３を設けている。よって、本実施の形態に係る電源基板２６０は、実施の形態１に係る電源基板１６０と同様に、リード線１７２ａ、１７２ｂ、２７２ａ、２７２ｂが切り欠き部２６２ａ、２６２ｂから外れた場合であっても、リード線１７２ａ、１７２ｂ、２７２ａ、２７２ｂと１次側電源部品群１６４（周辺回路）との距離を所定の距離以上確保することが可能になる。
【００９３】
また、本実施の形態によれば、複数の切り欠き部２６２ａ、２６２ｂと通路部２６３とは、平面視において、渦巻き形状を成す。
【００９４】
これにより、平面視において、複数の切り欠き部２６２ａ、２６２ｂ及び通路部２６３が配置される領域を、通路部２６３が形成された電源基板２６０周縁に沿った方向（図中のＸ軸方向）と、当該方向に直交する方向（図中のＹ軸方向）とが同等の長さとなるような形状にすることができる。よって、当該領域を、電源基板２６０に実装されている回路のレイアウトに応じて配置することにより、電源基板２６０全体の省スペース化を図ることが可能になる。
【００９５】
なお、上記説明では、切り欠き部２６２ａ、２６２ｂは略Ｌ字形状としたが、これらの形状はこれに限らず、曲線状であってもよい。また、通路部２６３の形状も曲線状であってもよい。つまり、複数の切り欠き部２６２ａ、２６２ｂと通路部２６３とで形成される渦巻き形状は、図５に示したような角を有さない滑らかな形状であってもよい。このような構成の場合、切り欠き部２６２ａの先端部は、コネクタ１６１から当該渦巻き形状を経由してファンのリード線の出所まで至る距離が、最小となる位置であり、切り欠き部２６２ｂの先端部は、コネクタ１６１から当該渦巻き形状を経由してファンのリード線の出所まで至る距離が、最小以外の極小となる位置である。
【００９６】
（実施の形態３）
次に、本発明の実施の形態３について、実施の形態１と異なる点を中心に説明する。具体的には、本実施の形態に係る電源基板は、複数の切り欠き部が、通路部の電源基板の周縁側と反対側の端部に形成され、当該複数の切り欠き部の切り欠き方向が、互いに異なる点が、実施の形態１に係る電源基板１６０と比較して異なっている。以下、本実施の形態に係る電源基板について、図７を用いて説明する。図７は、実施の形態３に係る電源基板３６０とファン１７０との接続部を拡大して示す拡大図である。
【００９７】
同図に示すように、本実施の形態に係る電源基板３６０は、図３に示した実施の形態１に係る電源基板１６０と同様に、リード線１７２ａ、１７２ｂが接続されるコネクタ１６１と、電源基板３６０の周縁部に形成された複数の切り欠き部３６２ａ、３６２ｂと、電源基板３６０の周縁から切り欠かれた、リード線１７２ａ、１７２ｂを複数の切り欠き部３６２ａ、３６２ｂへ通すための通路部３６３とを備える。ただし、実施の形態１と異なり、複数の切り欠き部３６２ａ、３６２ｂは、通路部３６３の電源基板３６０の周縁側と反対側の端部に形成され、当該複数の切り欠き部３６２ａ、３６２ｂの切り欠き方向は、互いに異なる。
【００９８】
以下、これら通路部３６３、及び、切り欠き部３６２ａ、３６２ｂについて、具体的に説明する。
【００９９】
通路部３６３は、実施の形態１における通路部１６３と同様に、電源基板３６０の周縁から、当該電源基板３６０の内側（図中のＹ軸マイナス方向）に向かって切り欠かれている。この通路部３６３の電源基板１６０の周縁側の端部３６３Ａは、平面視において、電源基板３６０の周縁に近づくほど開口が大きくなるテーパー形状を成している。
【０１００】
これにより、実施の形態１と同様に、リード線１７２ａ、１７２ｂの通路部３６３への挿入を容易にできる。よって、ファン１７０と電源基板３６０との組み付けが容易になる。
【０１０１】
複数の切り欠き部１６２ａ、１６２ｂは、通路部３６３の電源基板３６０の周縁側と反対側の端部に形成され、当該複数の切り欠き部３６２ａ、３６２ｂの切り欠き方向は、互いに異なる。
【０１０２】
具体的には、切り欠き部３６２ａの切り欠き方向（図中のＸ軸プラス方向）と、切り欠き部３６２ｂの切り欠き方向（図中のＸ軸マイナス方向）とは、反対である。つまり、本実施の形態では、複数の切り欠き部３６２ａ（第１の切り欠き部）と、切り欠き部３６２ｂ（第２の切り欠き部）と、通路部３６３とは、平面視において、通路部３６３を縦線とする略Ｔ字形状を成す。
【０１０３】
これにより、平面視において、複数の切り欠き部３６２ａ、３６２ｂ及び通路部３６３が配置される領域を、通路部３６３の電源基板３６０周縁側の端部において小さく、通路部３６３の反対側の端部において大きくなるような形状にすることができる。よって、当該領域を、電源基板３６０に実装されている回路のレイアウトに応じて配置することにより、電源基板３６０全体の省スペース化を図ることが可能になる。
【０１０４】
以上のように構成された本実施の形態に係る電源基板３６０は、実施の形態１に係る電源基板１６０と同様に、ファン１７０のリード線１７２ａ、１７２ｂが複数の切り欠き部３６２ａ、３６２ｂの少なくとも１つに選択的に引っ掛けられているので、上記実施の形態１と同様の効果を奏することができる。
【０１０５】
以下、この理由について、電源基板３６０に対して、（i）リード線が短いファンが接続される場合、及び（ii）リード線が長いファンが接続される場合について、図８Ａ及び図８Ｂを用いて説明する。図８Ａは、実施の形態３に係る電源基板３６０とリード線が短いファン１７０との組み付けの様子を説明する図であり、図８Ｂは、実施の形態３に係る電源基板３６０とリード線が長いファン２７０との組み付けの様子を説明する図である。
【０１０６】
＜（i）リード線が短いファンが接続される場合＞
図８Ａに示すように、リード線１７２ａ、１７２ｂが短いファン１７０に電源基板３６０が接続される場合、当該リード線１７２ａ、１７２ｂは、複数の切り欠き部３６２ａ、３６２ｂのうち切り欠き部３６２ａに選択的に引っ掛けられる。
【０１０７】
これにより、リード線１７２ａ、１７２ｂが短いファン１７０に電源基板３６０が接続される場合、当該リード線１７２ａ、１７２ｂと１次側電源部品群１６４とを十分な距離だけ離間した状態で、リード線１７２ａ、１７２ｂを固定することができる。
【０１０８】
＜（ii）リード線が長いファンが接続される場合＞
一方、図８Ｂに示すように、リード線２７２ａ、２７２ｂが長いファン２７０に電源基板３６０が接続される場合、当該リード線２７２ａ、２７２ｂは、複数の切り欠き部３６２ａ、３６２ｂのうち切り欠き部３６２ｂに選択的に引っ掛けられる。
【０１０９】
これにより、リード線２７２ａ、２７２ｂが長いファン２７０に電源基板２６０が接続される場合にも、ファン１７０に電源基板３６０が接続される場合と同様に、当該リード線２７２ａ、２７２ｂと１次側電源部品群１６４とを十分な距離だけ離間した状態で、リード線２７２ａ、２７２ｂを固定することができる。
【０１１０】
このように、本実施の形態に係る電源基板３６０は、実施の形態１に係る電源基板１６０と同様に、複数の仕様のファン１７０、２７０に対応して当該ファン１７０、２７０のリード線１７２ａ、１７２ｂ、２７２ａ、２７２ｂを固定することができる。
【０１１１】
［効果等］
以上説明したように、本実施の形態に係る電源基板３６０によれば、実施の形態１に係る電源基板１６０と同様に、ファン１７０のリード線１７２ａ、１７２ｂは複数の切り欠き部３６２ａ、３６２ｂの少なくとも１つに選択的に引っ掛けられている。よって、本実施の形態に係る電源基板３６０は、実施の形態１に係る電源基板１６０と同様に、複数の仕様のファン１７０、２７０に対応して当該ファン１７０、２７０のリード線１７２ａ、１７２ｂ、２７２ａ、２７２ｂを固定することができる。
【０１１２】
また、本実施の形態によれば、上記実施の形態１と同様に、リード線１７２ａ、１７２ｂ、２７２ａ、２７２ｂを複数の切り欠き部３６２ａ、３６２ｂへ通すための通路部３６３を設けている。よって、本実施の形態に係る電源基板３６０は、実施の形態１に係る電源基板１６０と同様に、リード線１７２ａ、１７２ｂ、２７２ａ、２７２ｂが切り欠き部３６２ａ、３６２ｂから外れた場合であっても、リード線１７２ａ、１７２ｂ、２７２ａ、２７２ｂと１次側電源部品群１６４（周辺回路）との距離を所定の距離以上確保することが可能になる。
【０１１３】
また、本実施の形態によれば、複数の切り欠き部３６２ａ、３６２ｂは、通路部３６３の電源基板３６０の周縁側と反対側の端部に形成され、当該複数の切り欠き部３６２ａ、３６２ｂの切り欠き方向は、互いに異なっている。
【０１１４】
これにより、平面視において、複数の切り欠き部３６２ａ、３６２ｂ及び通路部３６３が配置される領域を、通路部３６３の電源基板３６０周縁側の端部において小さく、通路部３６３の反対側の端部において大きくなるような形状にすることができる。よって、当該領域を、電源基板３６０に実装されている回路のレイアウトに応じて配置することにより、電源基板３６０全体の省スペース化を図ることが可能になる。
【０１１５】
具体的には、本実施の形態では、複数の切り欠き部３６２ａ、３６２ｂと、通路部３６３とは、平面視において、通路部３６３を縦線とする略Ｔ字形状を成す。
【０１１６】
（他の実施の形態）
以上、本発明の回路基板について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１１７】
また、本発明は、上述した電源基板と、ファンとを備えるＤＶＤレコーダであってもよい。
【０１１８】
また、例えば、上記説明では、回路基板の一態様として、１次側電源の部品が実装された電源回路を例に説明したが、回路基板はこれに限らず、例えば、プロセッサ等の熱を発生しやすい部品が実装された回路基板や、発振器等の比較的高い周波数（例えば、１ＧＨｚ）の信号を生成することによりノイズを発生しやすい部品が実装された回路基板であってもよい。
【０１１９】
このような回路基板であっても、複数の仕様のファンに対応して当該ファンのリード線を固定できることにより、ファンのリード線と周辺回路（例えば、熱源となるプロセッサやノイズ源となる発振器等）とを、各種規格（例えば、安全規格やＥＭＣ規格等）を満たすような所定の距離以上離間して配置することが可能となる。
【０１２０】
また、例えば、上記説明では、リード線付部材の一態様として、ファンを例に説明したが、リード線付部材はこれに限らず、例えば、モータやポンプ等であってもよい。また、例えば、リード線付部材に取り付けられたリード線の本数は１本以上であればよい。
【０１２１】
また、例えば、上記説明では、回路基板とリード線付部材とを備える電子機器の一態様として、ＤＶＤレコーダを例に説明したが、電子機器はこれに限らず、例えば、プリンタ等であってもよい。
【０１２２】
また、例えば、複数の切り欠き部は、図９Ａ及び図９Ｂに示すように形成されていてもよい。図９Ａは、他の実施の形態に係る電源基板４６０の一例の一部を拡大して示す拡大図であり、図９Ｂは、他の実施の形態に係る電源基板５６０の他の一例の一部を拡大して示す拡大図である。
【０１２３】
すなわち、図９Ａに示すように、複数の切り欠き４６２ａ、４６２ｂは、電源基板４６０の周縁の互いに異なる位置に形成されていてもよい。これにより、平面視において、複数の切り欠き部４６２ａ、４６２ｂが配置される領域を小さくすることができる。よって、電源基板４６０の小型化を図ることができる。
【０１２４】
また、例えば、実施の形態３では、複数の複数の切り欠き部３６２ａ、３６２ｂの切り欠き方向は、互いに反対であった。しかしながら、図９Ｂに示すように、切り欠き部５６２ａの切り欠き方向、及び、切り欠き部５６２ｂの切り欠き方向は、反対以外の互いに異なる方向であってもよく、例えば、通路部５６３の切り欠き方向に対してコネクタ１６１の配置側に向かう互いに異なる方向であってもよい。
【０１２５】
また、例えば、上記説明では、電源基板は２つの切り欠き部を備え、ファンのリード線は２つの切り欠き部のいずれか一方に選択的に引っ掛けられていたが、これに限らない。例えば、電源基板は３つ以上の切り欠き部を備え、３つ以上の切り欠き部の少なくとも１つに選択的に引っ掛けられていればよい。
【０１２６】
また、例えば、上記実施の形態１において、電源基板は、３つ以上の切り欠き部を備え、３つ以上の切り欠き部のうち２つの切り欠き部（第１の切り欠き部及び第２の切り欠き部）と、通路部とが、平面視において、通路部を縦線とする略Ｆ字形状を成してもよい。
【０１２７】
また、例えば、上記実施の形態３において、電源基板は、３つ以上の切り欠き部を備え、３つ以上の切り欠き部のうち２つの切り欠き部（第１の切り欠き部及び第２の切り欠き部）と、通路部とが、平面視において、通路部を縦線とする略Ｔ字形状を成してもよい。
【０１２８】
また、例えば、上記説明では、ファンのリード線が接続される接続部として、コネクタ１６１を例に説明したが、接続部はコネクタ１６１に限らない。つまり、ファンのリード線と電源基板とはコネクタ１６１によって接続されていなくてもよく、例えば、半田によって接続されていてもよいし、超音波溶着によって接続されていてもよい。
【０１２９】
また、例えば、電源基板の周縁部に形成された複数の切り欠き部の形状及び配置は、上記説明に限らず、各切り欠き部は、コネクタ１６１から当該切り欠き部を経由してリード線の出所まで至る経路の距離が極小点を含むような形状であればよい。
【産業上の利用可能性】
【０１３０】
本発明は、回路基板とリード線付部材とを備えるＤＶＤレコーダ等の電子機器に適用できる。
【符号の説明】
【０１３１】
１００  ＤＶＤレコーダ
１１０  筐体
１２０  ＨＤＤ
１３０  ローダ
１４０  メイン基板
１５０  電源コード
１６０、２６０、３６０、４６０、５６０  電源基板
１６１  コネクタ
１６２ａ、１６２ｂ、２６２ａ、２６２ｂ、３６２ａ、３６２ｂ、４６２ａ、４６２ｂ、５６２ａ、５６２ｂ  切り欠き部
１６３、２６３、３６３、５６３  通路部
１６３Ａ、２６３Ａ、３６３Ａ  端部
１６４  １次側電源部品群
１６５  突出部
１７０、２７０  ファン
１７１  本体部材
１７２ａ、１７２ｂ、２７２ａ、２７２ｂ  リード線
【図１】
2015177117.tif 000003
【図２】
2015177117.tif 000004
【図３】
2015177117.tif 000005
【図４Ａ】
2015177117.tif 000006
【図４Ｂ】
2015177117.tif 000007
【図５】
2015177117.tif 000008
【図６Ａ】
2015177117.tif 000009
【図６Ｂ】
2015177117.tif 000010
【図７】
2015177117.tif 000011
【図８Ａ】
2015177117.tif 000012
【図８Ｂ】
2015177117.tif 000013
【図９Ａ】
2015177117.tif 000014
【図９Ｂ】
2015177117.tif 000015